(57)【要約】    【目的】  本発明は、ロック状態では刃受を両側から挟圧することにより、確りロックされると共に導通性が高く成ると共に、現在使用している差し込みプラグをそのまま使用でき、更に、構造も簡易なものである。    【構成】  本発明は、刃受１を立設させた刃受金具２と、下方ボディ３と、上方ボディ４と、栓刃挿通孔４ａを穿設したタップにおいて、刃受は支持片１ａと挟持片１ｂと先端刃受部１ｃとから形成され、刃受に栓刃Ｓが差し込まれた状態でタップの外側に突出させた操作部５ｃを操作することによって刃受を両側から挟圧させるロック手段５を備えたものであり、ロック手段は摺動させることによって挟持片を両側から挟圧させる巾狭部５ａａと挟持部を遊動させる遊動部５ａｂとを接続させた摺動用穴部５ａと、摺動用穴部を形成した摺動板５ｂと貫通部６とを備えた。    【選択図】   図２
2005116334.tif 000002
【特許請求の範囲】
【請求項１】
差し込みプラグに突設された板状の一対の栓刃が差し込まれる少なくとも一対の刃受を立設させた刃受金具と、該刃受金具を内設した下方ボディと、該下方ボディと合着させる上方ボディと、該上方ボディの上面の前記刃受の上方に栓刃挿通孔を穿設したタップにおいて、前記一対の刃受は刃受金具基体に対峙して延設された夫々の支持片と、該夫々の支持片に延設された栓刃を挟持する夫々の挟持片と、該夫々の挟持片に延設され上方に開いた夫々の先端刃受部とから形成され、前記一対の刃受に前記一対の栓刃が差し込まれた状態でタップの外側に突出させた操作部を操作することにより夫々の刃受を両側から挟圧させるロック手段を備えたことを特徴とするロック機構付きタップ。
【請求項２】
前記一対の刃受は少なくとも挟持片と先端刃受部とが下方ボディの上面に突出するように刃受金具を内設すると共に、前記ロック手段は摺動させることによって前記挟持片を両側から挟圧させる巾狭部と挟持部を遊動させる遊動部とを接続させた摺動用穴部と、該摺動用穴部を形成した摺動板と、該摺動板の両端辺の操作部を貫通させて出没させる一対の刃受の平行方向のボディの両側に穿設した貫通部とを備えたことを特徴とする請求項１に記載のロック機構付きタップ。
【請求項３】
前記ロック手段の両端辺の操作部にロック状態を表示させたことを特徴とする請求項１又は請求項２に記載のロック機構付きタップ。
【発明の詳細な説明】
【技術分野】
【０００１】
本発明はロック機構を備えたテーブルタップ等のタップに関するものであり、更に詳細には、タップに差し込まれる差し込みプラグの栓刃を簡易な手段によって挟持させることでロックするロック機構付きのタップに関するものである。
【背景技術】
【０００２】
近年、パーソナルコンピュータ等の電子電気機器の普及により多数の電源を必要とするようになり、一カ所に多数の配線がされる場合が多く不注意により引っ掛けたりして差し込みプラグを抜落させることが頻発しており、ロック機構付きタップが切望されており、その為、従来ＯＡタップでは刃受を湾曲させて形成し、挿通させる栓刃を回動させてロックするものが多く、構造が複雑に成ると共に、ロック状態でプラグを抜き差ししたり、回動させるために夫々の金具にたわみや変形を生じて、やがて性能低下に成り市場にクレームが発生していた。
【０００３】
又、回動させないでロックするものとしては、例えば、刃に穴または切欠きを有するプラグと、刃受けに刃に穴または切欠きを有するコンセントと、上記プラグおよびコンセントの穴または切欠きに挿通させるピンを備えた操作竿とを有し、上記プラグを刃をコンセントの刃受けに差し込むことによって合致する刃と刃受けの穴または切欠きに上記ピンを挿入させて両者の結合をロックさせるようにしたもの（特許文献１参照）や、接触部および係合部を有する弾性部を一体にした刃受金具を器体内に装着し、さらに弾性部にその一部が器体外に突出する押ボタンを取付けてなる該器体と、刃受金具の接触部と接触し、係合部と係合する溝を設けた差込刃を有するもの（特許文献２参照）や、表面にソケット挿入孔を有するコンセントの内面に、窓を有する摺動版をその両側に固定し且つ各先端を夫々コンセント外壁より突出せしめた支持杆により摺動自在に架設すると共に、摺動版とコンセント内壁間にスプリングを介在させ更に窓の上下縁部の上記ソケット挿入孔に位置する部分に設けた切欠部に、差込用脚の根部に切欠部を形成してなるソケットを挿入するもの（特許文献３参照）が開示されている。
【特許文献１】実開昭６０−７５９７８号公報（第１頁）
【特許文献２】実告昭４０−１４９３号公報（第１頁）
【特許文献３】実告昭４８−１４６２９号公報（第１頁）
【発明の開示】
【発明が解決しようとする課題】
【０００４】
然し乍ら、刃に穴または切欠きを有するプラグと、刃受けに刃に穴または切欠きを有するコンセントと、上記プラグおよびコンセントの穴または切欠きに挿通させるピンを備えた操作竿とを有し、上記プラグを刃をコンセントの刃受けに差し込むことによって合致する刃と刃受けの穴または切欠きに上記ピンを挿入させて両者の結合をロックさせるようにしたものでは、プラグの刃には穴が穿設されているものであるが、この穴は刃受に形成された尖部を嵌入させて係止させるものであり、操作竿に備えたピンを挿通させることは栓刃や受刃の改造が必要であり、現在使用している差し込みプラグをそのまま差し込むわけに行かず、更に、構造も複雑なものと成っていた。
【０００５】
又、接触部および係合部を有する弾性部を一体にした刃受金具を器体内に装着し、さらに弾性部にその一部が器体外に突出する押ボタンを取付けてなる該器体と、刃受金具の接触部と接触し、係合部と係合する溝を設けた差込刃を有するものでは、差込刃や刃受金具を改造しなければ成らず、汎用性に欠けるものである。
【０００６】
更に、表面にソケット挿入孔を有するコンセントの内面に、窓を有する摺動版をその両側に固定し且つ各先端を夫々コンセント外壁より突出せしめた支持杆により摺動自在に架設すると共に、摺動版とコンセント内壁間にスプリングを介在させ更に窓の上下縁部の上記ソケット挿入孔に位置する部分に設けた切欠部に、差込用脚の根部に切欠部を形成してなるソケットを挿入するものでも、差し込みプラグの差込用脚の根部に切欠部を形成しなければ成らず、また、スプリング等のパーツを組み込む必要があるものである。
【課題を解決するための手段】
【０００７】
本発明は、前述の課題に鑑み、鋭意研鑽の結果、請求項１に記載のロック機構付きタップは、差し込みプラグに突設された板状の一対の栓刃が差し込まれる少なくとも一対の刃受を立設させた刃受金具と、刃受金具を内設した下方ボディと、下方ボディと合着させる上方ボディと、上方ボディの上面の刃受の上方に栓刃挿通孔を穿設したタップにおいて、一対の刃受は刃受金具基体に対峙して延設された支持片と、支持片に延設された栓刃を挟持する挟持片と、挟持片に延設され上方に開いた先端刃受部とから形成され、一対の刃受に一対の栓刃が差し込まれた状態でタップの外側に突出させた操作部を操作することによって刃受を両側から挟圧させるロック手段を備えたものである。
【０００８】
更に、請求項２に記載のロック機構付きタップは、請求項１に記載のロック機構付きタップにおいて、一対の刃受は少なくとも挟持片と先端刃受部とが下方ボディの上面に突出するように刃受金具を内設すると共に、ロック手段は摺動させることによって挟持片を両側から挟圧させる巾狭部と挟持部を遊動させる遊動部とを接続させた摺動用穴部と、摺動用穴部を形成した摺動板と、摺動板の両端辺を貫通させて出没させるボディの両側に穿設した貫通部とを備えたものである。
【０００９】
更には、請求項３に記載のロック機構付きタップは、請求項１又は請求項２に記載のロック機構付きタップにおいて、ロック手段の両端辺の操作部にロック状態を表示させたものである。
【発明の効果】
【００１０】
本発明のロック機構付きタップは、ロック状態では刃受を両側から挟圧することにより、確りロックされると共に導通性が高く成るもので、更に、摺動板に巾狭部と遊動部を接続させた摺動用穴部を形成してタップに組み込むだけで、必要に応じてロック機構を作用させることができ、差し込みプラグも現在使用されているものを改造することなくそのまま使用できもので、実用性の高い発明である。
【発明を実施するための最良の形態】
【００１１】
本発明はロック機構を備えたテーブルタップ等のタップに関するものであり、更に詳細には、タップに差し込まれる差し込みプラグＰの栓刃Ｓを簡易な手段によって挟持させることでロックするロック機構付きのタップに関するものであり、請求項１に記載のロック機構付きタップは、差し込みプラグＰに突設された板状の一対の栓刃Ｓが差し込まれる少なくとも一対の刃受１を立設させた刃受金具２と、該刃受金具２を内設した下方ボディ３と、該下方ボディ３と合着させる上方ボディ４と、該上方ボディ４の上面の前記刃受１の上方に栓刃挿通孔４ａを穿設したタップにおいて、前記一対の刃受１は刃受金具基体２ａに対峙して延設された夫々の支持片１ａと、該夫々の支持片１ａに延設された栓刃Ｓを挟持する夫々の挟持片１ｂと、該夫々の挟持片１ｂに延設され上方に開いた夫々の先端刃受部１ｃとから形成され、前記一対の刃受１に前記一対の栓刃Ｓが差し込まれた状態でタップの外側に突出させた操作部５ｃを操作することによって夫々の刃受１を両側から挟圧させるロック手段５を備えたものである。
【００１２】
更に、請求項２に記載のロック機構付きタップは、請求項１に記載のロック機構付きタップにおいて、前記一対の刃受１は少なくとも挟持片と１ｂ先端刃受部１ｃとが下方ボディ３の上面に突出するように刃受金具２を内設すると共に、前記ロック手段５は摺動させることによって前記挟持片１ｂを両側から挟圧させる巾狭部５ａａと挟持部１ｂを遊動させる遊動部５ａｂとを接続させた摺動用穴部５ａと、該摺動用穴部５ａを形成した摺動板５ｂと、該摺動板５ｂの両端辺を貫通させて出没させる一対の刃受１の平行方向のボディ３．４の両側に穿設した貫通部６とを備えたものである。
【００１３】
更には、請求項３に記載のロック機構付きタップは、請求項１又は請求項２に記載のロック機構付きタップにおいて、前記ロック手段５の両端辺の操作部５ｃにロック状態を表示させたものである。
【実施例】
【００１４】
以下、本発明のロック機構付きタップの実施例の図面を用いて詳細に説明すると、図１は本発明のロック機構付きタップの実施例の概要を説明するための概要平面図であり、図２は本発明のロック機構付きタップの実施例の概要を説明するための要部断面図であり、図３は本発明のロック機構付きタップの摺動板の平面図である。
【００１５】
即ち、本発明のロック機構付きタップは、図１に図示するようなテーブルタップに実施すると好適なものであるが、少なくとも一対の刃受１を備えたタップで有れば実施することを可能とするものである。
【００１６】
そして、差し込みプラグＰは従来から汎用されているものを改造することなくそのまま使用することを可能とするもので、差し込みプラグＰは基端に機器等から延設されたコードを接続し、先端には板状の金属製の一対の栓刃Ｓを突設しており、栓刃Ｓの先端辺には後述する刃受１の挟持片１ｂに突設された位置決め突起１ｂａが係着する位置決め孔Ｓａが穿設されているものである。
【００１７】
次いで、刃受金具２は一対の長い帯状の刃受金具基体２ａに夫々複数の刃受１が立設されているものであり、尚、実施例ではアース端子用刃受金具Ａのアース用刃受金具基体も備えており、該アース用刃受金具基体には複数の湾曲させたアース刃受が立設させているものである。
【００１８】
次に、下方ボディ３は上方が開口した函状で後述する一対の刃受金具２と実施例ではアース端子用刃受金具Ａとが内設されるもので、長手方向の側面には夫々の刃受金具２と接続させるコードの挿通孔を穿設しており、上方の開口には下方を開口させた上方ボディ４を合着させるものである。
【００１９】
そして、上方ボディ４の上面の少なくとも一対の刃受１の上方には差し込みプラグＰの栓刃Ｓが差し込まれる少なくとも一対の栓刃挿通孔４ａを穿設しているものであり、実施例ではアース用刃受の上方にもアース用栓刃のアース用栓刃挿通孔を穿設しているものである。
【００２０】
更に、一対の刃受金具基体２ａとアース用刃受金具基体とはタップの下方ボディ３の長手方向に配設される板状のもので、一対の刃受金具基体２ａから少なくとも一対の刃受１は立設させており、更に、アース用刃受金具基体にもアース用刃受が立設させており、一対の刃受１は図２に図示する如く支持片１ａと挟持片１ｂと先端刃受部１ｃとから成るものである。
【００２１】
更には、夫々の支持片１ａは刃受金具基体２ａに若干巾を有して湾曲状に対峙延設されており、夫々の支持片１ａの先端側に間隔を窄めて栓刃Ｓを挟持するための夫々の挟持片１ｂを延設しているもので、夫々の挟持片１ｂの相対する面には差し込みプラグＰの栓刃Ｓの先端辺に穿設された位置決め孔Ｓａに嵌入する位置決め突起１ｂａを形成しており、更に、夫々の挟持片１ｂには栓刃Ｓを容易に差し込めるように上方に開いたテーパー面を有した夫々の先端刃受部１ｃを延設しているものである。
【００２２】
次に、下方ボディ３には一対の刃受金具２を内設するものであり、内設する手段は従来から実施されている周知の手段で良く、例えば、立設リブ等に沿って配設し、適宜ビス止め等の手段で内設するものであり、実施例では、アース用刃受金具も刃受金具２と同様に内設しているものである。
【００２３】
そして、ロック手段５は一対の刃受１に一対の栓刃Ｓが差し込まれた状態でタップの外側に突出させた操作部５ｃを操作することにより夫々の刃受１を両側から挟圧させるものであり、夫々の挟持片１ｂの両側に操作部５ｃを操作することによりロック手段５を移動させて当接する構造のものである。
【００２４】
更に、本発明のロック機構付きタップでは、刃受金具２に形成した刃受１の挟持片１ｂと先端刃受部１ｃとが下方ボディ３の開口から上方に突出するように内設するものであり、下方ボディ３の開口から上方に突出させた刃受１の挟持片１ｂをロック手段５により挟圧させるものである。
【００２５】
そして、ロック手段５である摺動板５ｂは矩形状の板体で耐熱性樹脂で形成したものであり、図１乃至図３に図示する如く、中央に略凹字状の摺動用穴部５ａを形成しているものであり、該摺動用穴部５ａは一対の挟持片１ｂを両側から挟圧させる夫々の巾狭部５ａａと、該夫々の巾狭部５ａａに連通させ栓刃Ｓを遊動させる遊動部５ａｂと、該夫々の遊動部５ａｂに連通させアース端子刃受や一対の刃受１を組立の際に挿通させると共に摺動が可能なようにスペースを取った挿通部５ａｃとを形成したものである。
【００２６】
更に、摺動板５ｂの摺動方向、つまり、一対の刃受１と平行方向のボディ３．４の両側に摺動板５ｂの両端辺の操作部５ｃを貫通させて出没させる貫通部６を穿設しているものであり、貫通部６は上方ボディ３に穿設しても下方ボディ４に穿設しても構わないものである。
【００２７】
更には、操作部５ｃは摺動板５ｂの両端辺に備えてロック手段５を操作するボディ３．４の外側に出没するもので、例えば、操作部５ｃには摺動板５ｂを摺動させるさせてロック状態にある時は「はまる」と表示し、解放状態にある時は「はずれる」と表示させているもので、摺動板５ｂを摺動させることによって何れかの片側辺がボディ３．４から突出し、他側辺はボディ３．４に埋没するものである。
【００２８】
次いで、本発明のロック機構付きタップを組み立てるには下方ボディ３に周知の手段で一対の刃受金具２とアース用刃受金具Ａを刃受１の挟持片１ｂと先端刃受部１ｃとを上面より突出させて内設し、上方からロック手段５である摺動板５ｂの摺動用穴部５ａの遊動部５ａｂ又は挿通部５ａｃに刃受１の先端刃受部１ｃをくぐらすもので、更に、上方ボディ４を被せてビス止めすることで組み立てられるものである。
【００２９】
前記摺動板５ｂの両端辺はボディ３．４の両側に穿設した貫通部６に嵌入するもので、何れか一方をボディ３．４に埋没するように押圧すると他方はボディ３．４より突出して、摺動板５ｂの両端辺の操作部５ｃに表示させたロック状態を目視できるものである。
【００３０】
つまり、図１に図示する右側では摺動板５ｂの摺動用穴部５ａに形成した巾狭部５ａａが刃受１の挟持片１ｂを両側から挟圧させているものであり、差し込みプラグＰの栓刃Ｓに有する位置決め孔Ｓａと刃受１の挟持片１ｂの内側に備えた位置決め突起１ｂａの作用と相乗してしっかりと栓刃Ｓを挟圧させるものであり、次いで、操作部５ｃの「はずれる」を押圧することにより、摺動板５ｂは摺動して刃受１の挟持片１ｂを挟圧していた巾狭部５ａａが移動して、挟持片１ｂの挟圧を解除する遊動部５ａｂが位置して差し込みプラグＰの栓刃Ｓを引き抜くと容易に引き抜けるものである。
【産業上の利用可能性】
【００３１】
本発明のロック機構付きタップは、パーソナルコンピュータ、ワードプロセッサ、コピー機等のＯＡ機器等の使用が頻繁なオフィス等に用いるテーブルタップ等のタップに好適なものである。
【図面の簡単な説明】
【００３２】
【図１】図１は本発明のロック機構付きタップの実施例の概要を説明するための概要平面図である。
【図２】図２は本発明のロック機構付きタップの実施例の概要を説明するための要部断面図である。
【図３】図３は本発明のロック機構付きタップの摺動板の平面図である。
【符号の説明】
【００３３】
Ｐ      差し込みプラグ
Ｓ      栓刃
Ｓａ    位置決め孔
Ａ      アース端子用刃受金具
１      刃受
１ａ    支持片
１ｂ    挟持片
１ｂａ  位置決め突起
１ｃ    先端刃受部
２      刃受金具
２ａ    刃受金具基体
３      下方ボディ
４      上方ボディ
４ａ    栓刃挿入孔
５      ロック手段
５ａ    摺動用穴部
５ａａ  巾狭部
５ａｂ  遊動部
５ａｃ  挿通部
５ｂ    摺動板
５ｃ    操作部
６      貫通部
【図１】
2005116334.tif 000003
【図２】
2005116334.tif 000004
【図３】
2005116334.tif 000005